(57)【要約】    【課題】  排出口の方向を変更することができることは勿論のこと、必要な分岐数に合わせて連結することができるヘッダーを提供する。    【解決手段】  流体を分岐して排出する複数の排出口１１Ａ〜１１Ｃを有する樹脂製の分岐部本体１０と、分岐部本体１０とは別体に成形されてなり、上流側から供給される流体を分岐部本体１０に導入する流体導入部５１を有する樹脂製のヘッダー本体５０を備え、ヘッダー本体５０には、分岐部本体１０の一方の端部を着脱可能に且つ排出口１１Ａ〜１１Ｃの方向を変更可能に接続する第１の接続部５２が形成され、分岐部本体１０の一方の端部には、第１の接続部５２に接続される第２の接続部１２が形成され、分岐部本体１０の他方の端部には、第１の接続部５２が形成されてなるヘッダーである。【選択図】    図１
2006266422.tif 000002
【特許請求の範囲】
【請求項１】
流体を分岐して排出する複数の排出口を有する樹脂製の分岐部本体と、
前記分岐部本体とは別体に成形されてなり、且つ上流側から供給される流体を前記分岐部本体に導入する流体導入部を有する樹脂製のヘッダー本体と、
を備え、
前記ヘッダー本体には、前記分岐部本体の一方の端部を着脱可能に且つ前記排出口の方向を変更可能に接続する第１の接続部が形成されてなり、
前記分岐部本体の一方の端部には、前記第１の接続部に接続される第２の接続部が形成され、当該分岐部本体の他方の端部には、前記第１の接続部が形成されてなるヘッダー。
【請求項２】
前記ヘッダー本体に接続された分岐部本体に、複数の他の分岐部本体が順次連続して接続され、当該複数の分岐部本体の最後尾には、最後尾用の分岐部本体が接続されてなり、当該最後尾用の分岐部本体の一方の端部には、第２の接続部が形成され、当該最後尾用の分岐部本体の他方の端部は閉鎖されてなる請求項１記載のヘッダー。
【請求項３】
流体を排出する排出口を１つ備え且つ樹脂製である複数の排出部本体と、
前記排出部本体とは別体に成形してなり、且つ上流側から供給される流体を前記各々の排出部本体に導入可能である流体導入部を有する樹脂製のヘッダー本体と、
を備え、
前記ヘッダー本体には、前記排出部本体の一方の端部を着脱可能に且つ前記排出口の方向を変更可能に接続する第１の接続部が形成されてなり、
前記排出部本体の一方の端部には、前記第１の接続部に接続される第２の接続部が形成され、当該排出部本体の他方の端部には、前記第１の接続部が形成されてなるヘッダー。
【請求項４】
前記ヘッダー本体に、前記複数の排出部本体が順次連続して接続され、当該接続された複数の排出部本体の最後尾には、最後尾用の排出部本体が接続されてなり、当該最後尾用の排出部本体の一方の端部には、第２の接続部が形成され、当該最後尾用の排出部本体の他方の端部は閉鎖されてなる請求項３記載のヘッダー。
【請求項５】
流体を分岐して排出する複数の排出口を有する樹脂製の分岐部本体と、
前記分岐部本体とは別体に成形されてなり、前記流体を排出する排出口を１つ備え且つ樹脂製である排出部本体と、
前記分岐部本体及び排出部本体とは別体に成形されてなり、且つ上流側から供給される流体を前記分岐部本体及び排出部本体に導入する流体導入部を有する樹脂製のヘッダー本体と、
を備え、
前記ヘッダー本体には、第１の接続部が形成されてなり、
前記分岐部本体の一方の端部には、前記第１の接続部に着脱可能且つ前記排出口の方向を変更可能に接続される第２の接続部が形成され、当該分岐部本体の他方の端部には、前記第１の接続部が形成されてなり、
前記排出部本体の一方の端部には、前記第２の接続部が形成され、当該排出部本体の他方の端部には、前記第１の接続部が形成されてなるヘッダー。
【請求項６】
前記分岐部本体及び前記排出部本体の両者を複数有し、
前記ヘッダー本体に、前記分岐部本体または排出部本体のいずれか一方を接続してなり、
前記ヘッダー本体に接続された分岐部本体または排出部本体に、残りの分岐部本体または排出部本体を所定の順番で連続して接続してなり、
前記接続された複数の排出部本体及び排出部本体の最後尾には、最後尾用の分岐部本体または最後尾用の排出部本体が接続されてなり、
前記最後尾用の分岐部本体または最後尾用の排出部本体の一方の端部には、第２の接続部が形成され、他方の端部は閉鎖されてなる請求項５記載のヘッダー。
【請求項７】
前記分岐部本体及び前記排出部本体を各々１つずつ有し、
前記ヘッダー本体に、前記分岐部本体または排出部本体のいずれか一方を接続し、
前記ヘッダー本体に接続された分岐部本体または排出部本体に、残りの分岐部本体または排出部本体を接続してなり、
前記接続された排出部本体及び排出部本体の最後尾となる分岐部本体または排出部本体は、前記第２の接続部とは異なる端部が閉鎖されてなる請求項５記載のヘッダー。
【請求項８】
前記分岐部本体、前記排出部本体、前記最後尾用の分岐部本体、前記最後尾用の排出部本体少なくとも１つに、これらを支持して補強する補強部材を配設してなる請求項２、請求項４、請求項６及び請求項７のいずれか一項に記載のヘッダー。
【発明の詳細な説明】
【技術分野】
【０００１】
本発明は、ヘッダーに係り、特に、外部から供給された温水、不凍液、流体熱媒または蒸気等の流体を分岐して、任意の配管に供給するヘッダーに関する。
【背景技術】
【０００２】
従来から、例えば、暖房器具や温水器等のように、温水、不凍液、流体熱媒や蒸気等で代表される流体を、外部の供給源から複数の配管に分岐する目的で、複数の排出口（分岐口）を備えたヘッダーが使用されている。このヘッダーは、前記流体をヘッダー本体内部に取り入れるための流体導入部と、内部に供給された流体を分岐して、所望の配管に排出口を介して排出するための分岐部と、を有しており、例えば、Ｆ形分岐ヘッダーやＵ形分岐ヘッダーとして知られている。この従来のヘッダーは、ヘッダー本体、分岐部本体を真鍮や銅等の金属から構成し、このヘッダー本体と分岐部本体とをろう付けや、接着等によって接続したものが使用されている。
【０００３】
また、筒状の主管接続部を少なくとも一端に有する樹脂製の筒状胴体と、樹脂製の分岐管を接続する枝部と、建築躯体への固定部と、を一体的に形成したヘッダーも紹介されている。（例えば、特許文献１参照）。
【０００４】
さらにまた、流体を分岐して排出する複数の排出口を有する分岐部本体と、この分岐部本体に導入する流体導入部を有するヘッダー本体とを樹脂で別体に成形すると共に、分岐部本体とヘッダー本体とを着脱可能に且つ排出口の方向を変更可能に接続する手段を設けたヘッダーも紹介されている。（例えば、特許文献２参照）。
【特許文献１】実開平６−５９６９６号公報
【特許文献２】特開２００４−１１６５９６号公報
【発明の開示】
【発明が解決しようとする課題】
【０００５】
しかしながら、特許文献１に記載されたヘッダーは、筒状胴体と、樹枝部と、建築躯体への固定部が、一体的に形成されているため、排出口の向きを容易に変えることができないという欠点があった。
【０００６】
また、特許文献２に記載された発明では、例えば、外部から供給された流体を、３つの部屋に各々配設された配管に供給したい場合は、３つの排出口を有するヘッダーを使用する必要があり、５つの部屋に各々配設された配管に供給したい場合は、５つの排出口を有するヘッダーを使用する必要があり、さらにまた、１０個の部屋に各々配設された配管に供給したい場合は、１０個の排出口を有するヘッダーを使用する必要がある等、必要な分岐数に応じた排出口を有するヘッダーを多数種用意する必要があり、さらなる汎用性が望まれている。
【０００７】
本発明は、このような従来のヘッダーを改良することを課題とするものであり、排出口の方向を変更することができることは勿論のこと、必要な分岐数に合わせて連結することができるヘッダーを提供することを目的とする。
【課題を解決するための手段】
【０００８】
この目的を達成するため本発明は、流体を分岐して排出する複数の排出口を有する樹脂製の分岐部本体と、前記分岐部本体とは別体に成形されてなり、且つ上流側から供給される流体を前記分岐部本体に導入する流体導入部を有する樹脂製のヘッダー本体とを備え、前記ヘッダー本体には、前記分岐部本体の一方の端部を着脱可能に且つ前記排出口の方向を変更可能に接続する第１の接続部が形成されてなり、前記分岐部本体の一方の端部には、前記第１の接続部に接続される第２の接続部が形成され、当該分岐部本体の他方の端部には、前記第１の接続部が形成されてなるヘッダーを提供するものである。
【０００９】
この構成を備えたヘッダーは、必要な分岐数に合わせて、分岐部本体同士を複数個、任意に連結（接続）することができる。したがって、必要な分岐数に応じた排出口を有するヘッダーを多数種用意する必要がなく、経済的である。
【００１０】
そしてまた、本発明にかかるヘッダーは、前記ヘッダー本体に接続された分岐部本体に、複数の他の分岐部本体が順次連続して接続され、当該複数の分岐部本体の最後尾には、最後尾用の分岐部本体が接続されてなり、当該最後尾用の分岐部本体の一方の端部には、第２の接続部が形成され、当該最後尾用の分岐部本体の他方の端部は閉鎖されてなるよう構成することもできる。
【００１１】
また、本発明は、流体を排出する排出口を１つ備え且つ樹脂製である複数の排出部本体と、前記排出部本体とは別体に成形してなり、且つ上流側から供給される流体を前記各々の排出部本体に導入可能である流体導入部を有する樹脂製のヘッダー本体と、を備え、前記ヘッダー本体には、前記排出部本体の一方の端部を着脱可能に且つ前記排出口の方向を変更可能に接続する第１の接続部が形成されてなり、前記排出部本体の一方の端部には、前記第１の接続部に接続される第２の接続部が形成され、当該排出部本体の他方の端部には、前記第１の接続部が形成されてなるヘッダーを提供するものである。
【００１２】
この構成を備えたヘッダーは、排出口を１つ有する排出部本体を、連続して連結（接続）することができるため、排出口１つ１つの方向を任意の方向にそれぞれ設定（変更）することができる。また、必要な排出口数（分岐数）に合わせて、排出部本体同士を複数個、任意に連結（接続）することができる。したがって、必要な排出口数（分岐数）に応じた排出口を有するヘッダーを多数種用意する必要がなく、経済的である。
【００１３】
そしてまた、このヘッダーは、前記ヘッダー本体に、前記複数の排出部本体が順次連続して接続され、当該接続された複数の排出部本体の最後尾には、最後尾用の排出部本体が接続されてなり、当該最後尾用の排出部本体の一方の端部には、第２の接続部が形成され、当該最後尾用の排出部本体の他方の端部は閉鎖されてなるよう構成することもできる。
【００１４】
また、本発明は、流体を分岐して排出する複数の排出口を有する樹脂製の分岐部本体と、前記分岐部本体とは別体に成形されてなり、前記流体を排出する排出口を１つ備え且つ樹脂製である排出部本体と、前記分岐部本体及び排出部本体とは別体に成形されてなり、且つ上流側から供給される流体を前記分岐部本体及び排出部本体に導入する流体導入部を有する樹脂製のヘッダー本体と、を備え、前記ヘッダー本体には、第１の接続部が形成されてなり、前記分岐部本体の一方の端部には、前記第１の接続部に着脱可能且つ前記排出口の方向を変更可能に接続される第２の接続部が形成され、当該分岐部本体の他方の端部には、前記第１の接続部が形成されてなり、前記排出部本体の一方の端部には、前記第２の接続部が形成され、当該排出部本体の他方の端部には、前記第１の接続部が形成されてなるヘッダーを提供するものである。
【００１５】
この構成を備えたヘッダーは、複数の排出口を有する分岐部本体と、１つの排出口を有する排出部本体を、ヘッダー本体に連結（接続）することができるため、必要な排出口数（分岐数）に合わせて、排出部本体と分岐部本体とを組み合わせることができる。したがって、必要な排出口数（分岐数）に応じた排出口を有するヘッダーを多数種用意する必要がなく、経済的である。
【００１６】
そしてまた、このヘッダーは、前記分岐部本体及び前記排出部本体の両者を複数有し、前記ヘッダー本体に、前記分岐部本体または排出部本体のいずれか一方を接続してなり、前記ヘッダー本体に接続された分岐部本体または排出部本体に、残りの分岐部本体または排出部本体を所定の順番で連続して接続してなり、前記接続された複数の排出部本体及び排出部本体の最後尾には、最後尾用の分岐部本体または最後尾用の排出部本体が接続されてなり、前記最後尾用の分岐部本体または最後尾用の排出部本体の一方の端部には、第２の接続部が形成され、他方の端部は閉鎖されてなるよう構成することもできる。
【００１７】
さらにまた、このヘッダーは、前記分岐部本体及び前記排出部本体を各々１つずつ有し、前記ヘッダー本体に、前記分岐部本体または排出部本体のいずれか一方を接続し、前記ヘッダー本体に接続された分岐部本体または排出部本体に、残りの分岐部本体または排出部本体を接続してなり、前記接続された排出部本体及び排出部本体の最後尾となる分岐部本体または排出部本体は、前記第２の接続部とは異なる端部が閉鎖されてなるよう構成することもできる。
【００１８】
また、本発明にかかるヘッダーは、前記分岐部本体、前記排出部本体、前記最後尾用の分岐部本体、前記最後尾用の排出部本体少なくとも１つに、これらを支持して補強する補強部材を配設することができる。このようにすることで、前記分岐部本体、前記排出部本体、前記最後尾用の分岐部本体、前記最後尾用の排出部本体のうちの一種またはこれらを組合せて複数接続した際に、ヘッダーの長さが長くなっても、安定した状態で使用することができる。
【発明の効果】
【００１９】
本発明にかかるヘッダーは、必要な排出口数分岐数に合わせて、分岐部本体または排出部本体、あるいは両者を任意に連結（接続）することができる。したがって、必要な分岐数に応じた排出口を有するヘッダーを簡単に得ることができる。このため、従来のように様々な個数の排出口を有する分岐部本体を多数種用意する必要がなく、経済的である。この結果、排出口の方向を変更できることは勿論のこと、安価で汎用性の高いヘッダーを提供することができる。
【発明を実施するための最良の形態】
【００２０】
次に、本発明の好適な実施の形態にかかるヘッダーについて図面を参照して説明する。なお、以下に記載される実施の形態は、本発明を説明するための例示であり、本発明をこれらの実施の形態にのみ限定するものではない。したがって、本発明は、その要旨を逸脱しない限り、様々な形態で実施することができる。
【００２１】
（実施例１）
図１は、実施例１にかかるヘッダーの側面図、図２は、図１に示すヘッダーの構成要素である分岐部本体の斜視図、図３は、図１に示す分岐部本体の側面図である。
【００２２】
図１〜図３に示すように、実施例１にかかるヘッダー１は、流体を分岐して排出する複数の排出口１１Ａ、１１Ｂ及び１１Ｃを有する樹脂製の分岐部本体１０と、分岐部本体１０とは別体に成形されてなり、且つ上流側から供給される流体を分岐部本体１０に導入する流体導入部５１を有する樹脂製のヘッダー本体５０と、分岐部本体１０のヘッダー本体５０に接続される側とは反対側の端部に接続される最後尾用分岐部本体１００と、を備えて構成されている。
【００２３】
ヘッダー本体５０は、円筒中空状の管部からなる流体導入部５１を有し、この流体導入部５１の内部には、分岐部本体１０との接続通路（図示せず）が形成されている。そして、この接続通路には、ここを開閉可能にするバルブ（図示せず）が装着されている。また、ヘッダー本体５０には、分岐部本体１０の一方の端部（図１でいう左側端部）を着脱可能に且つ排出口１１Ａ、１１Ｂ及び１１Ｃの方向を変更可能に接続する第１の接続部５２が形成されている。なお、この第１の接続部５２は、後に詳述する分岐部本体１０に形成される第１の接続部５２と同じ構成を備えているため、分岐部本体１０を説明する際に詳細に説明する。
【００２４】
また、ヘッダー本体５０の上流側（図１でいう上部）には、熱源機の供給口（図示せず）に差し込まれる第一の差込口５５が形成されている。そして、第一の差込口５５から第１の接続部５２にかけてＬ字状の流路を構成している。さらにまた、ヘッダー本体５０の流体導入部５１と反対方向には、流体導入部５１より管径を大きくしたバルブ保持部５４が一体に成形されている。
【００２５】
ヘッダー本体５０の差込口５５の外周部には、特に図示しないが、Ｏリング等のシール材が装着されている。流体導入部５１と熱源機の供給口とは、差込口５５を供給口に差し込んで、熱源機供給口のフランジと、ヘッダー本体５０のフランジ６０とを当接させてから、クリップ等を用いて熱源機供給口のフランジとフランジ６０を合わせて包持させることにより接続される。
【００２６】
分岐部本体１０は、略円筒形の中空管部１８と、中空管部１８の外周部に設けられたリブ１９とを備えて構成されている。この分岐部本体１０の一方の端部（図１でいう左側端部）には、第１の接続部５２に接続される第２の接続部１２が形成されている。また、分岐部本体１０の他方の端部（図１でいう右側端部）には、第１の接続部５２が形成されている。
【００２７】
第１の接続部５２は、中空管部１８に形成され、後に詳述する第２の接続部１２に形成された装着口１３に挿入される差込口５３と、リブ１９の端部であって、第２の接続部１２に形成された突片１５に対応する位置に形成されると共に、突片１５に固定される突片５６と、中空管部１８に形成され、第２の接続部１２の凹部１６に嵌合する位置決め用の凸部５７と、を備えている。
【００２８】
突片５６には、第２の接続部１２の突片１５に形成されたネジ孔１４に対応するネジ孔５８が形成されている。また、凸部５７は、互いに１８０度位相した位置に一対形成されている。なお、特に図示しないが、差込口５３の外周部にはＯリング等のシール材が装着されている。
【００２９】
第２の接続部１２は、中空管部１８に形成され、ヘッダー本体５０を立設状態で接続するための拡径した装着口１３を備えている。また、リブ１９には、外周部にネジ孔１４を有する固定用の突片１５が、互いに１８０位相した位置に一対設けられている。また、装着口１３には、位置決め用の凹部１６が、互いに１８０位相した位置に一対設けられている。
【００３０】
ヘッダー本体５０と、分岐部本体１０とを接続するには、ヘッダー本体５０に形成された第１の接続部５２の差込口５３を、分岐部本体１０の装着口１３に差し込んで、突片１５と突片５６とを合わせ、ネジ孔１４及び５８にネジを螺合することにより、ヘッダー本体５０と、分岐部本体１０とが、互いに着脱可能に固定される。
【００３１】
最後尾用分岐部本体１００は、分岐部本体１０に接続される側とは反対側の端部、すなわち、第２の接続部１２が形成されている側とは反対側の端部に、第１の接続部５２を形成する代わりに、この端部を閉塞した構成を備えていること、及びリブ１９が形成されていないこと以外は、分岐部本体１０と同様の構造を備えている。
【００３２】
図１では、ヘッダー１の排出口の合計数は、６個であるが、例えば、９個必要な場合は、分岐部本体１０と最後尾用分岐部本体１００との間に、分岐部本体１０をもう１個接続する等、分岐部本体１０の接続数は、必要な排出口の合計数に応じて任意に決定することができる。
【００３３】
前記分岐部本体１０とヘッダー本体５０は、それぞれ樹脂製であると共に、互いに別体に成形され、ネジ止め等の簡単な作業で接続できる。したがって、金属製のヘッダーのようにろう付け、接着等の加工が必要ないため、作業時間が少ないことによるコストダウンや品質の安定を実現することができる。なお、分岐部本体１０及びヘッダー本体５０を構成する樹脂は、ヘッダーとしての機能を損なわない限り、特に限定されるものではないが、例えば、ＰＡ、ＰＯＭ、ＰＰ、ＰＢＴ、ＰＰＳ等の樹脂を任意に選択して好適に使用することができる。
【００３４】
また、分岐部本体１０を複数個接続した場合は、図１に示すようよう、任意の位置に板金等の補強部材１０２を設けることもできる。この補強部材１０２の形状は、特に限定されるものではなく、補強部材１０２をさらに、壁、床、天井等の任意の場所に固定してもよい。
【００３５】
また、分岐部本体１０同士や、分岐部本体１０と最後尾用分岐部本体１００とを接続する場合、あるいは、ヘッダー本体５０に分岐部本体１０を接続する場合に、排出口１１Ａ、１１Ｂ及び１１Ｃの方向を変えたい場合には、図４に示す（図４は、分岐部本体１０同士を接続する場合を示す）ように、約１８０度、排出口１１Ａ、１１Ｂ及び１１Ｃの方向を変えて、差込口５３を装着口１３に差し込むと、固定用の一対の突片１５及び突片５６と、位置決め用の凹部１６と凸部５７が、各々１８０度位相した一に形成してあるので、排出口１１Ａ、１１Ｂ及び１１Ｃの方向を１８０度変えて接続固定できる。
【００３６】
なお、実施例１では、突片１５及び突片５６と、位置決め用の凹部１６と凸部５７をそれぞれ１８０度位相した位置に形成したため、排出口１１Ａ、１１Ｂ及び１１Ｃの方向を１８０度変えて接続固定できるが、突片１５及び突片５６と、位置決め用の凹部１６と凸部５７をそれぞれ９０度位相した位置に４カ所ずつ形成すれば、排出口１１Ａ、１１Ｂ及び１１Ｃの方向を９０度毎に変更することができる。また、同様の理由から、突片１５及び突片５６と、位置決め用の凹部１６と凸部５７をそれぞれＸ度位相した位置毎に形成すれば、排出口１１Ａ、１１Ｂ及び１１Ｃの方向をＸ度毎に変更することができる。
【００３７】
また、実施例１では、第１の接続部５２と第２の接続部１２との固定手段として、ネジを使用する場合について説明したが、これに限らず、例えば、Ｃリング等により固定してもよいし、スナップフィット等により固定してもよい。また、回して係合するようにしてもよいし、包持クリップ等により固定してもよい。
【００３８】
（実施例２）
次に、本発明の実施例２にかかるヘッダーについて図面を参照して説明する。
【００３９】
図５は、実施例２にかかるヘッダーの構成要素である排出部本体の斜視図、図６は、図５に示す排出部本体の側面図、図７は、実施例２にかかる排出部本体２つと、実施例２にかかる最後尾用排出部本体を接続した状態を示す側面図である。
【００４０】
なお、実施例２では、実施例１で説明した部材と同等の部材には、同一の符号を付し、その詳細な説明は、省略する。
【００４１】
図５〜図７に示すように、実施例２にかかるヘッダーの、実施例１にかかるヘッダー１と異なる主な点は、排出口１つのみ形成されている点である。すなわち、実施例２にかかるヘッダーは、実施例１で説明したヘッダー本体５０と、図５〜図７に示す排出部本体２０と、接続された排出部本体２０の最後尾に接続される最後尾用排出部本体２００（図７参照）とを備えて構成されている。
【００４２】
排出部本体２０は、中空管部２８と、中空管部２８の外周部に設けられたリブ２９とを備えて構成されており、排出部本体２０の一方の端部には、第１の接続部５２に接続される第２の接続部１２が形成されている。また、排出部本体２０の他方の端部（図６でいう右側端部）には、第１の接続部５２が形成されている。この排出部本体２０には、１つの排出口１１Ａが形成されている。
【００４３】
なお、リブ２９は、長さが短い以外は、リブ１９と同様のものであり、その一端に突片１５が、他端に突片５６が形成されている。
【００４４】
最後尾用排出部本体２００は、実施例１で説明した最後尾用分岐部本体１００の排出口１１Ａ、１１Ｂ及び１１Ｃが排出口１１Ａのみになった以外は、最後尾用分岐部本体１００と同様の構成を備えている。
【００４５】
この構成を備えた排出部本体２０は、図８に示すように、排出口１１Ａの方向を、１つずつ変更して接続することができるため、汎用性が向上する。また、図９に示すように、実施例１で説明した分岐部本体１０と任意に組み合わせて使用することもできる。
【００４６】
なお、実施例１では、排出口が３つ形成された分岐部本体１０を、実施例２では、排出口が１つ形成された排出部本体２０を例にとって説明したが、これに限らず、形成される排出口の数は、任意に設定してもよい。
【図面の簡単な説明】
【００４７】
【図１】本発明の実施例１にかかるヘッダーの側面図である。
【図２】図１に示すヘッダーの構成要素である分岐部本体の斜視図である。
【図３】図１に示す分岐部本体の側面図である。
【図４】本発明の実施例１にかかる分岐部本体を接続する途中の状態を示す側面図である。
【図５】本発明の実施例２にかかるヘッダーの構成要素である排出部本体の斜視図である。
【図６】図５に示す排出部本体の側面図である。
【図７】本発明の実施例２にかかる排出部本体２つと、実施例２にかかる最後尾用排出部本体を接続した状態を示す側面図である。
【図８】本発明の実施例２にかかる排出部本体を接続する途中の状態を示す側面図である。
【図９】本発明の他の実施例を示す側面図である。
【符号の説明】
【００４８】
１    ヘッダー
２    排出部本体
１０    分岐部本体
１１Ａ、１１Ｂ、１１Ｃ    排出口
１２    第２の接続部
１３    装着口
１５    突片
１６    凹部
１８、２８    中空管部
１９、２８    リブ
２０    排出部本体
５０    ヘッダー本体
５１    流体導入部
５２    第１の接続部
５３    差込口
５７    凸部
１００ 最後尾用分岐部本体
１０２ 補強部材
２００ 最後尾用排出部本体
【図１】
2006266422.tif 000003
【図２】
2006266422.tif 000004
【図３】
2006266422.tif 000005
【図４】
2006266422.tif 000006
【図５】
2006266422.tif 000007
【図６】
2006266422.tif 000008
【図７】
2006266422.tif 000009
【図８】
2006266422.tif 000010
【図９】
2006266422.tif 000011